(57)【特許請求の範囲】
【請求項１】
ビット系列に対し、ビット変換処理、スクランブル処理及びＭ相ＰＳＫ（Phase Shift Keying）変調処理（Ｍは正の整数）が実行された信号を受信するための無線受信装置であって、
前記スクランブル処理で用いたスクランブル系列により決定される信号の位相回転量を、受信信号より得られる第１シンボルに乗算し、第２シンボルを得る位相回転部と、
前記ビット系列に適用されたデータレートと前記ビット変換処理とに基づいて作成されたＮ相ＰＳＫ（Ｎは、１以上Ｍ以下の整数）のレプリカ信号の信号点を参照して前記第２シンボルを復調し、復調で得られる尤度を軟判定値として算出する復調部と、を具備することを特徴とする無線受信装置。
【請求項２】
前記位相回転部は、複素平面上において、２πを前記Ｎ相ＰＳＫの信号点の数で除算した角度単位で、前記スクランブル系列に応じた角度に前記第１シンボルを回転させて第２シンボルを得ることを特徴とする請求項１に記載の無線受信装置。
【請求項３】
ビット系列に対し、ビット変換処理、スクランブル処理及びＭ相ＰＳＫ（Phase shift keying）変調処理（Ｍは正の整数）が実行された送信信号を受信するための無線受信装置であって、
前記ビット系列に適用されたデータレートと前記ビット変換処理とに基づいて作成されたＮ相ＰＳＫ（Ｎは、１以上Ｍ以下の整数）を表す第１レプリカ信号に、前記スクランブル処理で用いたスクランブル系列により決定される信号の位相回転量を乗算し、第２レプリカ信号を生成する信号生成部と、
前記第２レプリカ信号の信号点を参照して受信信号より得られる第１シンボルを復調し、復調で得られる尤度を軟判定値として算出する復調部と、を具備することを特徴とする無線受信装置。
【請求項４】
前記信号生成部は、複素平面上において、２πを前記第１レプリカ信号の信号点の数で除算した角度単位で、前記スクランブル系列に応じた角度に該第１レプリカ信号を回転させて第２レプリカ信号を得ることを特徴とする請求項３に記載の無線受信装置。
【請求項５】
チャネル等化処理において最尤系列推定を用いる場合、前記Ｎ相ＰＳＫ変調の信号点に基づいて前記第１シンボルを推定するＲＦ部をさらに具備することを特徴とする請求項１から請求項４のいずれか１項に記載の無線受信装置。
【発明の詳細な説明】
【技術分野】
【０００１】
本開示は、無線通信に関する。
【背景技術】
【０００２】
符号化処理を行なった後の送信データに対してトランスコード処理、スクランブル処理、変調処理を行なって生成したフレームを受信する無線受信装置では、無線送信装置のフレーム生成処理と対になる処理、つまり復調処理、デスクランブル処理、トランスデコード処理を行なうことで所望の送信データを得ることができる。
【先行技術文献】
【非特許文献】
【０００３】
【非特許文献１】J.G. Proakis, "Digital Communications," 4th ed., McGraw-Hill, 2000.
【発明の概要】
【発明が解決しようとする課題】
【０００４】
一般的に復号処理は、硬判定値（０または１を示す値）を用いる場合よりも、軟判定値（０らしさ、１らしさを示す値）を用いる場合の方が優れた性能が得られる。しかしながら、符号化処理を行なった後の送信データに対してトランスコード処理、スクランブル処理、変調処理を順に実行して生成したフレームを受信する無線受信装置において、無線送信装置のフレーム生成処理と対の復調処理、デスクランブル処理及びトランスデコード処理を行なう場合、デスクランブル処理及びトランスデコード処理は、ビットベースで処理する必要がある。よって、硬判定値でしか処理が行えず、トランスデコード処理後の復号処理で軟判定値を用いることは困難である。  
本発明の一観点は、信号の性能劣化が少ない軟判定処理を行なうことができる無線受信装置を提供することを目的とする。
【課題を解決するための手段】
【０００５】
本発明の一実施形態に係る無線受信装置は、ビット系列に対し、ビット変換処理、スクランブル処理及びＭ相ＰＳＫ（Phase Shift Keying）変調処理（Ｍは正の整数）が実行された信号を受信するための無線受信装置であり、位相回転部と復調部とを含む。位相回転部は、前記スクランブル処理で用いたスクランブル系列により決定される信号の位相回転量を、受信信号より得られる第１シンボルに乗算し、第２シンボルを得る。復調部は、データレートと前記ビット変換処理とに基づいて作成されたＮ相ＰＳＫ（Ｎは、１以上Ｍ以下の整数）のレプリカ信号の信号点を参照して前記第２シンボルを復調し、復調で得られる尤度を軟判定値として算出する。
【図面の簡単な説明】
【０００６】
【図１】本実施形態に係る無線送信装置を示すブロック図。
【図２】第１の実施形態に係る無線受信装置を示すブロック図。
【図３】トランスコード処理に用いられる参照テーブルの一例を示す図。
【図４】変調処理における８相ＰＳＫ信号点の一例を示す図。
【図５】ＭＩＬ規格におけるフレームフォーマットの一例を示す図。
【図６】復調処理における８相ＰＳＫ信号点の一例を示す図。
【図７】第２の実施形態に係る無線受信装置を示すブロック図。
【発明を実施するための形態】
【０００７】
以下、図面を参照しながら本開示の一実施形態に係る無線受信装置について詳細に説明する。なお、以下の実施形態では、同一の番号を付した部分については同様の動作を行うものとして、重ねての説明を省略する。  
なお、本実施形態では、ＭＩＬ−ＳＴＤ−１８８−１１０ｂ規格（以下、ＭＩＬ規格と呼ぶ）に従って説明を行うが、ＭＩＬ規格に限定されず、他の規格についても同様に本実施形態に係る無線受信装置を用いることができる。
【０００８】
（第１の実施形態）  
一般的な無線送信装置について図１のブロック図を参照して説明する。  
無線送信装置１００は、トランスコード部１０１、スクランブル部１０２、変調部１０３、ＲＦ部１０４、およびアンテナ１０５を含む。
【０００９】
トランスコード部１０１は、符号化処理部（図示せず）から符号化処理（例えば、畳み込み符号化及びインタリーブ）された送信ビット系列を受け取り、ビット変換処理を行ない、チャネルシンボルを生成する。
【００１０】
スクランブル部１０２は、トランスコード部１０１からチャネルシンボルを、外部からスクランブル系列をそれぞれ受け取り、チャネルシンボルに対してランダマイズ化を行い、スクランブルシンボルを得る。
【００１１】
変調部１０３は、スクランブル部１０２からスクランブルシンボルを受け取り、所定の変調方式に従って複素平面上の信号点にマッピングする変調処理を行い、変調シンボルを生成する。なお、変調処理は、無線送信装置１００と通信する無線受信装置２００が復調可能な変調方式であればよく、例えば、ＢＰＳＫ（Binary Phase Shift Keying）およびＱＰＳＫ（Quadrature Phase Shift Keying）に代表されるＰＳＫ方式を用いればよい。
【００１２】
ＲＦ部１０４は、変調部１０３から変調シンボルを受け取り、変調シンボルに対して信号処理を行い、送信シンボルを生成する。信号処理は、例えば、デジタル−アナログ変換器（Digital-to-Analog Converter；ＤＡＣ）によるデジタル−アナログ変換、周波数変換器によるアップコンバージョンおよび電力増幅器による電力増幅処理といった処理を行なう。
【００１３】
アンテナ１０５は、ＲＦ部１０４から送信シンボルを受け取り、外部の無線受信装置などへ送信シンボルを送信信号として送信する。なお、アンテナ１０５は、一般的なアンテナの構成であればよいので、ここでの詳細な説明は省略する。
【００１４】
次に、第１の実施形態に係る無線受信装置について図２のブロック図を参照して説明する。  
第１の実施形態に係る無線受信装置２００は、アンテナ２０１、ＲＦ部２０２、位相回転処理部２０３、及び復調部２０４を含む。  
アンテナ２０１は、無線送信装置１００からの送信信号を受信信号として受信する。なお、アンテナ２０１の構成は、一般的な構成を用いればよいため、ここでの詳細な説明は省略する。
【００１５】
ＲＦ部２０２は、アンテナ２０１から受信信号を受け取り、受信信号に対して信号処理を行ない、受信シンボル（第１シンボルともいう）を得る。信号処理は、例えば、アナログ−デジタル変換器（Analog -to- Digital Converter:ＡＤＣ）によるアナログ−デジタル変換、周波数変換器によるダウンコンバージョン、電力増幅器による電力増幅処理、等化器によるチャネル等化処理を行なう。チャネル等化処理では、例えば最尤系列推定を行なう。
【００１６】
位相回転処理部２０３は、ＲＦ部２０２から受信シンボルを、外部からスクランブル系列をそれぞれ受け取る。位相回転処理部２０３は、受信シンボルに対して、スクランブル系列に応じた位相回転処理を行ない、回転処理後の受信シンボル（以下、第２シンボルという）を得る。なお、スクランブル系列は、無線送信装置で用いるスクランブル系列と同じ値を用いる。なお、ＭＩＬ規格では、所定のスクランブル系列生成器が用いられ、シフトレジスタの初期値も規定されているため、無線受信装置と無線送信装置との間で、同一のスクランブル系列を生成することができる。
【００１７】
復調部２０４は、位相回転処理部２０３から第２シンボルを、外部からレプリカ信号をそれぞれ受け取る。復調部２０４は、レプリカ信号に基づいて第２シンボルを復調し、復調の際に得られる尤度を軟判定値として算出する。その後、軟判定値は後段の復調処理部（図示せず）に送られ、復号処理に用いられる。
【００１８】
次に、トランスコード処理に用いられる参照テーブルの一例について図３を参照して説明する。  
図３に示す参照テーブルは、ＭＩＬ規格におけるトランスコード処理に基づいた、入力ビット３０１と出力ビット３０２との対応関係を示す。なお、ＭＩＬ規格におけるデータレートは、７５ｂｐｓ、１５０ｂｐｓ、３００ｂｐｓ、６００ｂｐｓ、１２００ｂｐｓ、２４００ｂｐｓおよび４８００ｂｐｓがサポートされているが、以下では２４００ｂｐｓの場合を例に説明する。
【００１９】
図３に示すように、入力ビット３０１は、データレートに応じて１ビットまたは２ビットまたは３ビットであるが、出力ビット３０２は必ず３ビットとなる。例えば、データレート２４００ｂｐｓの場合、符号化処理後のビット系列は３ビットごとにビット変換処理が行われ、入力ビット３０１が（０００、００１、０１０、０１１、１００、１０１、１１０、１１１）の場合、出力ビット３０２はそれぞれ（０００、００１、０１１、０１０、１１１、１１０、１００、１０１）となる。また、データレート１２００ｂｐｓの場合は、入力ビット３０１は２ビットであるが、出力ビット３０２は３ビットとなり、入力ビット３０１が（００、０１、１０、１１）の場合、出力ビット３０２はそれぞれ（０００、０１０、１１０、１００）となる。
【００２０】
続いて、スクランブル部１０２における処理について説明する。  
トランスコード処理後に出力される３ビットごとの送信ビット系列（図３に示す出力ビット）は、所定のシフトレジスタで構成されるスクランブル系列生成器（図示せず）により生成された、３ビットのスクランブル系列との３ビット加算演算によりランダマイズ化が行われる。例えば、トランスコード処理後に出力される３ビットの送信ビット系列が（００１）であり、スクランブル系列生成器により生成されたスクランブル系列が（１０１）である場合、ランダマイズ化後の送信ビット系列は００１（２）＋１０１（２）＝１１０（２）となる。なお、ＭＩＬ規格のスクランブル系列生成器では、３ビットのスクランブル系列を１６０回生成するごとにシフトレジスタの値が初期化され、繰り返し３ビットのスクランブル系列が１６０回生成される。
【００２１】
続いて、変調部１０３における変調処理について図４を参照して説明する。  
スクランブル部１０２においてランダマイズ化された３ビットのスクランブルシンボルは、図４に示す８相ＰＳＫの信号点にマッピングされて変調シンボルが生成される。つまり、スクランブルシンボルが（０００、００１、０１０、０１１、１００、１０１、１１０、１１１）の場合、８相ＰＳＫ信号点のマッピング処理により生成される変調シンボルはそれぞれ式（１）に対応する値となる。
【数１】
0005618944.tif 000002
【００２２】
なお、ｊ＝√（−１）である。ＭＩＬ規格では、データレートによらず、必ず８相ＰＳＫ信号点を用いたマッピングにより変調シンボル生成が行われる。
【００２３】
次に、ＭＩＬ規格におけるフレームフォーマットの一例について図５を参照して説明する。  
上述した変調シンボルを生成後、図５に示すようなフレームが生成される。フレーム５００は、プリアンブル５０１、未知信号５０２及び既知信号５０３を含む。
【００２４】
プリアンブル５０１は、フレーム５００の先頭に配置され、１４４０シンボルまたは１１５２０シンボルの既知信号で形成される。プリアンブル５０１は、タイミング同期に用いられる。
【００２５】
未知信号５０２は、プリアンブル５０１の次に配置され、２０シンボルまたは３２シンボルで構成される。未知信号５０２は、相手に送信するべきデータ信号そのものである。
【００２６】
既知信号５０３は、未知信号５０２の次に配置され、１６シンボルまたは２０シンボルで形成される。既知信号５０３は、チャネル推定に用いられる。また、未知信号５０２と既知信号５０３とは、フレーム５００中に交互に配置される。
【００２７】
次に、無線受信装置２００の位相回転処理部２０３における位相回転処理について説明する。  
位相回転処理部２０３は、ｋ番目の受信シンボルをｙ（ｋ）とする場合、位相回転処理後の第２シンボルｙ’（ｋ）は、式（２）のように表せる。
【数２】
0005618944.tif 000003
【００２８】
ここで、Ｓ（ｋ）は、３ビットで表されるｋ番目のシンボル用のスクランブル系列を１０進数に変換したものであり、０から７までの値をとる。例えば、ｋ番目のシンボルに対応するスクランブル系列が（１０１）の場合、Ｓ（ｋ）の値は５となる。
【００２９】
このように受信シンボルの位相を回転させることによって、デスクランブル処理に相当する処理を行なうことができる。
【００３０】
次に、復調部２０４における復調処理について図６を参照して説明する。  
復調部２０４で用いるレプリカ信号は、トランスデコード処理に応じた８相ＰＳＫ信号点のビット系列とシンボルとが対応付けられて作成される。すなわち、レプリカ信号は、図４に示した変調部１０３における８相ＰＳＫ信号点と異なり、復調部２０４では、以下の式（３）の８相ＰＳＫ信号点のビット系列とシンボルとの対応として表現される。
【数３】
0005618944.tif 000004
【００３１】
なお、以下の（Ａ、Ｂ）の表記は、Ａはビット系列を表し、ＢはＡのビット系列に対応するＰＳＫ信号点を表す。復調部２０４では、上述の式（３）の８相ＰＳＫ信号点のレプリカ信号を用いて、第２シンボルのデマッピングを行なう。デマッピング方法は、例えば、式（４）を用いて、受信シンボルごとに各ビットの対数尤度比λｎを計算する。  
【数４】
0005618944.tif 000005
【００３２】
また、対数尤度比λｎは、式（５）を用いて算出してもよい。
【数５】
0005618944.tif 000006
【００３３】
復調部２０４は、この対数尤度比を軟判定値として用いて復号処理を行なうことができる。なお、デマッピング方法は、式（４）及び式（５）に示す方法に限らず、受信シンボルから受信ビットに変換する方法であればどのような方法を用いてもよい。このように、本実施形態に係る位相回転処理部２０３および復調部２０４により、受信シンボルに対し、一般的なデマッピング処理、デスクランブル処理及びトランスデコード処理を行なった場合と同様の受信ビット系列を得ることができる。
【００３４】
具体例として、無線送信装置１００が、送信ビット系列（００１）を無線受信装置２００に送信する場合を想定する。  
無線送信装置では、上述のように、トランスコード部１０１においてトランスコード処理が、スクランブル部１０２においてスクランブル処理がそれぞれ行われ、スクランブルシンボルとして（１１０）を得る。その後、変調部１０３において、図４に示すような８相ＰＳＫ信号点に基づいてマッピング処理を行なうと送信シンボルは［−ｊ］となる。
【００３５】
一方、無線受信装置２００のＲＦ部２０２において受信シンボルとして［−ｊ］を得た場合、位相回転処理部２０３において、式（２）に基づき、無線送信装置１００のスクランブル系列が１０１であるので、第２シンボルは［１／√２＋ｊ×１／√２］となる。続いて、復調部２０４において、図６及び式（３）に示すレプリカ信号に基づいてデマッピングして復調処理を行なうと、第２シンボル［１／√２＋ｊ×１／√２］に対応する受信ビット系列（００１）を得ることができる。すなわち、本実施形態に係る無線受信装置２００によって送信ビット系列を復調し、受信ビット系列（００１）に関する対数尤度比を軟判定値として用いることができる。
【００３６】
また、常に８相ＰＳＫ信号点のレプリカ信号で対数尤度比を計算する必要はなく、１２００ｂｐｓの場合はビット系列とシンボルとの対応が（００，１）、（０１，ｊ）、（１０，−ｊ）、（１１，−１）となる４相ＰＳＫ信号点をレプリカ信号として用いて対数尤度比を計算することができる。同様に、データレートが１５０ｂｐｓ、３００ｂｐｓ、６００ｂｐｓの場合はビット系列とシンボルとの対応が（０，１）、（１，−１）となる２相ＰＳＫ信号点をレプリカ信号として用いて対数尤度比を計算することができる。すなわち、対数尤度比を計算するプロセスにおいてデータレートが１５０ｂｐｓ、３００ｂｐｓ、６００ｂｐｓ、１２００ｂｐｓの場合は、ＰＳＫ信号点で対応する候補点を減らすことができるため演算量を削減することができる。
【００３７】
さらに、無線受信装置２００のＲＦ部２０２において、チャネル等化方式に最尤系列推定を採用する場合、最尤系列推定は一般的に変調多値数と伝搬路の遅延パス時間とに応じて演算量が増大することが知られている。本実施形態に係る無線受信装置のように、トランスコード処理を考慮したビット系列とシンボルとを対応させた信号点を用いることで、データレートが低い場合に変調多値数を８（８相ＰＳＫの場合）から４または２（４相ＰＳＫまたは２相ＰＳＫの場合）に減らすことができる。これにより候補数が減少するため、演算量を削減することができる。  
また、第１の実施形態に係るレプリカ信号は、データレートによって決定されるため、データレートに応じたレプリカ信号を予めＲＯＭ（Read Only Memory）などの情報記憶媒体に格納し、ＲＯＭからレプリカ信号を読み出して復調処理を行なうようにしてもよい。
【００３８】
以上に示した第１の実施形態によれば、受信シンボルに対してスクランブル処理に対応する位相回転を行ない、トランスデコード処理に対応するレプリカ信号を用いて復調処理を行うことで、信号の性能が劣化せずかつ処理量を増やさずに軟判定値を算出することができる。よって、後段の復号処理において軟判定値を用いることができ、精度の高い復号処理を行なうことができる。
【００３９】
（第２の実施形態）  
第２の実施形態では、無線受信装置において、受信信号に対して位相回転を行なうのではなく、レプリカ信号に対して位相回転を行う点が異なる。
【００４０】
第２の実施形態に係る無線受信装置について図７のブロック図を参照して説明する。  
第２の実施形態に係る無線受信装置７００は、アンテナ２０１、ＲＦ部２０２、レプリカ信号生成部７０１及び復調部７０２を含む。なお、アンテナ２０１およびＲＦ部２０２は、第１の実施形態と同様の処理を行うのでここでの詳細な説明は省略する。  
レプリカ信号生成部７０１は、外部からスクランブル系列を受け取り、データレートとビット変換処理とで決定されるレプリカ信号（第１レプリカ信号ともいう）に対して、スクランブル系列に応じて位相回転処理を行い、レプリカ信号（第２レプリカ信号ともいう）を生成する。
【００４１】
復調部７０２は、ＲＦ部２０２から受信シンボルを、レプリカ信号生成部７０１から第２レプリカ信号をそれぞれ受け取り、第２レプリカ信号に基づいて受信シンボルを復調し、復調の際に得られる尤度を軟判定値として算出する。
【００４２】
第２の実施形態に係る無線受信装置７００の動作について説明する。
【００４３】
レプリカ信号生成部７０１は、式（３）に示した上述のトランスデコードに対応したレプリカ信号Ｘ（第１レプリカ信号）を生成する。次に、以下の式（６）に示すように、スクランブル系列Ｓ（ｋ）に応じた位相回転を第１レプリカ信号に対して行ない、レプリカ信号Ｘ’（第２レプリカ信号）を算出する。
【数６】
0005618944.tif 000007
【００４４】
復調部７０２は、この第２レプリカ信号Ｘ’（ｋ）に基づいて対数尤度比を計算する。なお、式（６）中の第１レプリカ信号Ｘは、複素平面上のレプリカ信号全体をベクトル化して表現したものであり、データレートが２４００ｂｐｓ、４８００ｂｐｓの場合は、式（７）のように表現される。
【数７】
0005618944.tif 000008
【００４５】
また、データレートが１２００ｂｐｓの場合は式（８）のように表現される。
【数８】
0005618944.tif 000009
【００４６】
また、データレートが１５０ｂｐｓ、３００ｂｐｓ及び６００ｂｐｓの場合は式（９）のように表現される。
【数９】
0005618944.tif 000010
【００４７】
例えば、データレートが２４００ｂｐｓ、スクランブル系列が（０１０）、つまり２である場合、第２レプリカ信号Ｘ’（ｋ）のビット系列とシンボルとの対応は、式（１０）のように表現することができる。
【数１０】
0005618944.tif 000011
【００４８】
また、例えばデータレートが３００ｂｐｓ、スクランブル系列が（１０１）、つまり５である場合、第２レプリカ信号Ｘ’（ｋ）のビット系列とシンボルとの対応は式（１１）のように表現することができる。
【数１１】
0005618944.tif 000012
【００４９】
式（６）に示すように、第２の実施形態では、シンボルごとにスクランブル系列が異なるため、レプリカ信号のビット系列と受信シンボルとの対応が異なる。ＭＩＬ規格においては、一定周期でスクランブル系列が用いられるため、シンボルごとにスクランブル系列に応じた位相回転処理を行なったレプリカ信号を生成してもよい。また、予めスクランブル系列０から７までのそれぞれの位相回転処理を行なったレプリカ信号群を生成して、レプリカ信号群をＲＯＭなどの情報記録媒体に記録し、スクランブル系列Ｓ（ｋ）に応じてＲＯＭから第２レプリカ信号Ｘ’（ｋ）を読み出すようにしてもよい。
【００５０】
以上に示した第２の実施形態によれば、デスクランブル処理及びトランスデコード処理に対応するレプリカ信号を用いて復調処理を行うことで、信号の性能が劣化せずかつ処理量を増やさずに、復号処理において軟判定値を用いることができる。さらに第１の実施形態に係る無線受信装置よりも高速に処理を行なうことができる。
【００５１】
以下、従来例としてＭＩＬ規格における一般的な信号処理に関して説明する。  
はじめに、無線送信装置における信号処理について説明する。例えば、無線送信装置において符号化後の送信ビット系列は（０１０）である場合を考える。はじめに、送信ビット系列（０１０）をトランスコード処理すると、図３に基づいて、送信ビット系列（０１１）となる。  
続いて、送信ビット系列（０１１）をスクランブル処理すると、送信ビット系列（０１１）とスクランブル系列（００１）との加算演算により、送信ビット系列（１００）となる。  
最後に、送信ビット系列（１００）を変調処理すると、送信ビット系列（１００）は、図４に示す８相ＰＳＫ信号点にマッピングされ、送信シンボル（−１）を得る。
【００５２】
次に、無線送信装置からの信号を受信した無線受信装置における信号処理について説明する。無線受信装置は、チャネル等化後の受信シンボルが（−１）で存在する場合、復調処理において、図４に示す８相ＰＳＫ信号点のレプリカ信号により、受信ビット系列（１００）を得ることができる。  
続いて、受信ビット系列（１００）に対し、無線送信装置で用いられたスクランブル系列（００１）を用いてデスクランブル処理（減算）が行われ、受信ビット系列（０１１）を得る。  
最後に、デスクランブル処理後の受信ビット系列（０１１）にトランスデコード処理を行ない、図３より出力ビット（０１１）に対応する入力ビット（０１０）を受信ビット系列として得ることができる。よって、無線受信装置は、無線送信装置からのデータを正しく取得することができる。
【００５３】
ＭＩＬ規格のフレームは送信側で符号化処理が施されたものであるため、無線受信装置にてトランスデコード処理後の受信ビット系列は復号処理が適用される。しかしながら上述のような無線受信装置の場合、復調処理時の対数尤度比であれば軟判定値として扱えるものの、デスクランブル処理及びトランスデコード処理はビット演算など硬判定値でしか処理が行えないため、従来の無線受信装置では、トランスコード処理後に軟判定値を得ることは困難となる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１００・・・無線送信装置、１０１・・・トランスコード部、１０２・・・スクランブル部、１０３・・・変調部、１０４，２０２・・・ＲＦ部、１０５，２０１・・・アンテナ、２００，７００・・・無線受信装置、２０３・・・位相回転処理部、２０４，７０２・・・復調部、３０１・・・入力ビット、３０２・・・出力ビット、５００・・・フレーム、５０１・・・プリアンブル、５０２・・・未知信号、５０３・・・既知信号、７００・・・無線受信装置、７０１・・・レプリカ信号生成部。
【図１】
0005618944.tif 000013
【図２】
0005618944.tif 000014
【図３】
0005618944.tif 000015
【図４】
0005618944.tif 000016
【図５】
0005618944.tif 000017
【図６】
0005618944.tif 000018
【図７】
0005618944.tif 000019